(57)【要約】【課題】本発明は、回転式の気化式加湿フィルターを備えた加湿機に関するもので、加湿能力を更に向上できるものである。【解決手段】そしてこの目的を達成するために本発明は、加湿フィルター６は、筒形状の筒部と８、この筒部８の一方側の開口を塞ぐように設けた蓋部９とからなり、加湿フィルター枠７は、加湿フィルター６の筒部８の周面の一部が水槽に供給された水に常時浸るように加湿フィルター枠７を設けると共に、加湿フィルター６は蓋部９の中心を中心軸として回転し、送風手段５は、吸気口１から本体ケース３内に吸気した空気を加湿フィルター６内から筒部８または蓋部９を介して吹出口２へと送風する構成とし、送風手段５の吸込口は、筒部８の外周面に対向し、筒部８は、蓋部９より通風抵抗が大きいことを特徴とする。【選択図】図１
2015087104.tif 000002
【特許請求の範囲】
【請求項１】
吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルター内から前記筒部または前記蓋部を介して前記吹出口へと送風する構成とし、前記送風手段の吸込口は、前記筒部の外周面に対向し、前記筒部は、前記蓋部より通風抵抗が大きいことを特徴とした加湿機。
【請求項２】
前記筒部は、ｎ枚の加湿フィルター材からなり、前記蓋部は、ｍ枚の加湿フィルター材からなり、ｎ枚は、ｍ枚より大きいことを特徴とした請求項１に記載の加湿機。
【請求項３】
前記筒部は、第１の加湿フィルター材からなり、前記蓋部は、第２の加湿フィルター材からなり、前記第１の加湿フィルター材は、前記第２の加湿フィルター材より吸い上げ性能が低いことを特徴とする請求項１または２に記載の加湿機。
【請求項４】
前記加湿フィルターの前記筒部と前記蓋部とは、分離可能であることを特徴とする請求項１から３のいずれかに記載の加湿機。
【発明の詳細な説明】
【技術分野】
【０００１】
本発明は、回転式の気化式加湿フィルターを備えた加湿機に関する。
【背景技術】
【０００２】
従来、この種の加湿機は、吸気口と吹出口を有する本体ケースと、この本体ケース内に設けられた加湿手段と送風手段とを備え、前記加湿手段は、筒形状の加湿フィルターユニットと、前記加湿フィルターユニットを固定し回転自在に設けられた加湿フィルター枠と、前記加湿フィルター枠を水平方向の回転軸で回転させる回転手段と、前記加湿手段の下部に設けた水槽とからなり、前記加湿フィルター枠は、前記加湿フィルターユニットの周面の一部が前記水槽に供給された水に常時浸るように前記加湿フィルター枠を設けると共に、前記加湿フィルターユニットの中心軸を回転軸として回転し、前記加湿フィルターユニットの一方側の開口を塞ぎ、前記送風手段は、前記吸気口から前記本体ケース内に吸気した空気を前記加湿フィルター内から前記吹出口へと送風していた（例えばこれに類する先行文献としては、下記特許文献１が存在する）。
【先行技術文献】
【特許文献】
【０００３】
【特許文献１】特開２００４−２２６０２３号公報
【発明の概要】
【発明が解決しようとする課題】
【０００４】
上記従来例における課題は、加湿能力を更に向上することである。
【０００５】
すなわち、従来の物においては、加湿フィルターは、円筒形状で、加湿フィルター枠は、加湿フィルターの一方側の開口を塞いでいた。そして、送風手段は、吸気口から本体ケース内に吸気した空気を、加湿フィルターの他方側の開口から、加湿フィルター内へ送風していた。この送風された空気は、加湿フィルターを介して吹出口へとながれていた。ここで、加湿能力は、主に加湿フィルターの面積で決まるものであった。
【０００６】
そこで本発明は、本体ケースを大きくせずに、加湿フィルターの面積を大きくし、加湿能力を更に向上することを目的としている。
【課題を解決するための手段】
【０００７】
そしてこの目的を達成するために本発明は、吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルター内から前記筒部または前記蓋部を介して前記吹出口へと送風する構成とし、前記送風手段の吸込口は、前記筒部の外周面に対向し、前記筒部は、前記蓋部より通風抵抗が大きいことを特徴としたものである。
【０００８】
これにより、初期の目的を達成するものである。
【発明の効果】
【０００９】
以上のように本発明は、吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルター内から前記筒部または前記蓋部を介して前記吹出口へと送風する構成とし、前記送風手段の吸込口は、前記筒部の外周面に対向し、前記筒部は、前記蓋部より通風抵抗が大きいことを特徴としたので、加湿能力を更に向上することができるものである。
【００１０】
すなわち、加湿フィルターは、筒形状の筒部と、この筒部の一方側の開口を塞ぐように設けた蓋部とからなるので、本体ケースを大きくせずに、加湿フィルターの面積を大きくすることができ、送風手段の吸込口は、筒部の外周面に対向し、筒部は、蓋部より通風抵抗が大きいので、送風手段によって、吸気口から吸込まれた空気は、筒部だけでなく、蓋部にも送風され、加湿フィルター全体に空気が流れ易くなる。結果として、加湿能力を更に向上できるものである。
【図面の簡単な説明】
【００１１】
【図１】本発明の実施の形態１の加湿機の断面図
【図２】同加湿機の本体ケース内を示す斜視図
【図３】同加湿機の加湿フィルターと加湿フィルター枠を示す展開図
【図４】同加湿機の加湿フィルター枠を示す斜視図
【発明を実施するための形態】
【００１２】
以下、本実施形態を添付図面を用いて説明する。
【００１３】
（実施の形態１）
図１、２に示すように、本実施形態の加湿装置は、吸気口１と吹出口２を有する本体ケース３と、この本体ケース３内で吸気口１から吹出口２に送風される送風路に、加湿手段４と送風手段５とを備えている。
【００１４】
本体ケース３は略立方体形状で、他方側である背面側の下方に吸気口１を設け、天面に吹出口２を備えている。
【００１５】
加湿手段４は、加湿フィルター６と、加湿フィルター枠７と、回転手段（図示せず）と、水槽１０とからなる。加湿フィルター６は、加湿フィルター枠７によって、水槽１０に回転自在に保持されている。加湿フィルター６は、回転手段によって、水槽１０に入った水道水に加湿フィルター６の一部が常に浸漬するように、加湿フィルター枠７と共に回転する。
【００１６】
加湿フィルター６は、図３、４に示すように、略コップ形状をしており、筒形状の筒部８と、この筒部８の一方の開口を塞ぐように設けた蓋部９とで構成されている。加湿フィルター６は、筒部８の軸方向が水平方向で、筒部８の他方側の開口が、本体ケース３の吸気口１に対向するように、加湿フィルター枠７によって保持される。
【００１７】
加湿フィルター枠７は、加湿フィルター６の蓋部９を覆う蓋枠部１１と、加湿フィルター６の筒部８を覆う筒枠部１２とからなる。
【００１８】
蓋枠部１１は、後述する蓋枠側軸受部分１３に回転自在に装着可能な略円柱形状の蓋枠側軸部分１４と、この蓋枠側軸部分１４から放射状に伸びた複数の板形状の桟である第１の蓋枠側桟部分１５と、第１の蓋枠側桟部分１５の先端に備えた筒形状の歯車であるギアー部分１６を有している。更に、このギアー部分１６から放射状に伸びた複数の板形状の桟である第２の蓋枠側桟部分１７と、第２の蓋枠側桟部分１７の先端に備えた略筒形状の蓋枠側周部分１８を備えている。
【００１９】
筒枠部１２は、後述する筒枠側軸受部１９に装着可能な筒枠側軸部分２０と、筒枠側軸部分２０から放射状に伸びた複数の桟である筒枠側桟部分２１と、この筒枠側桟部分２１の先端に設けた円環板形状の筒枠側リング部分２２を有する。筒枠側リング部分２２に外周端部からは、筒枠側軸部分２０の軸方向で、加湿フィルター枠７の内方へ伸びた板形状の複数の筒枠側外周部分２３を備えている。これらの筒枠側外周部分２３の先端には、筒枠側外周部分２３の先端を連結する筒形状の筒枠側外周連結部分２４を有している。筒枠側リング部分２２に内周端部からは、筒枠側軸部分２０の軸方向で、加湿フィルター枠７の内方へ伸びた板形状の複数の筒枠側内周部分２５を備えている。これらの筒枠側内周部分２５の先端には、筒枠側内周部分２５の先端を連結する筒形状の筒枠側内周連結部分２６を有している。
【００２０】
加湿フィルター６の筒部８を、加湿フィルター枠７の筒枠部１２である筒枠側外周部分２３と筒枠側内周部分２５との間に挿入し、加湿フィルター６の蓋部９側に加湿フィルター枠７の蓋枠部１１を嵌めると、筒枠側外周連結部分２４の外周面に、蓋枠側周部分１８の内周面が嵌り、加湿フィルター６を加湿フィルター枠７内に固定できる。
【００２１】
回転手段は、本体ケース３内に設けられ、加湿フィルター枠７のギアー部分１６を介して、加湿フィルター枠７と加湿フィルター６とを回転できる。
【００２２】
水槽１０は、椀形状で、上端から上方へ伸びた、縦長四角形状の平板である一方側支持部２７と他方側支持部２８とを有する。この一方側支持部２７の上部内方には、蓋枠部１１の蓋枠側軸部分１４を回転自在に支持する凹形状の蓋枠側軸受部分１３を備えている。他方側支持部２８の上部内方には、筒枠部１２の筒枠側軸部分２０を回転自在に支持する凹形状の筒枠側軸受部１９を備えている。一方側支持部２７と他方側支持部２８とは対向し、蓋枠側軸受部分１３と筒枠側軸受部１９も対向している。タンク３７によって、一定量の水が水槽１０内へ供給される。
【００２３】
送風手段５は、図１に示すように、送風路における加湿手段４の風下側に配置され、本体ケース３に固定されたモータ部２９と、このモータ部２９から鉛直方向に伸びたモータ軸部３０に装着された羽根部３１と、この羽根部３１を囲んだ略円筒形状のケーシング部３２とからなる。このケーシング部３２の下方の開口が、送風手段５の吸込口３３である。
【００２４】
モータ部２９によって羽根部３１が回転すると、本体ケース３の吸気口１から本体ケース３外の空気が吸込まれ、加湿フィルター６内へ送風される。この加湿フィルター６内へ送風された空気は、加湿フィルター６の筒部８、または蓋部９のどちらか一方を通過し、送風手段５の吸込口３３へ送風される。この送風手段５の吸込口３３へ送風された空気は、送風手段５を介して、本体ケース３の吹出口２から本体ケース３外へ送風される。
【００２５】
本実施形態における特徴は、加湿フィルター６の形状と、加湿フィルター６と送風手段５との位置関係である。すなわち、加湿フィルター６は、筒形状の筒部８と、この筒部８の一方側の開口を塞ぐように設けた蓋部９とからなるので、本体ケース３を大きくせずに、加湿フィルター６の面積を大きくすることができ、送風手段５の吸込口３３は、筒部８の外周面に対向し、筒部８は、蓋部９より通風抵抗が大きいので、送風手段５によって、吸気口１から吸込まれた空気は、筒部８だけでなく、蓋部９にも送風され、加湿フィルター６全体に空気が流れ易くなる。結果として、加湿能力を更に向上できるものである。
【００２６】
また、筒部８は、ｎ枚の加湿フィルター材３４からなり、蓋部９は、ｍ枚の加湿フィルター材３４からなり、ｎ枚は、ｍ枚より大きいものである。筒部８は、３枚の加湿フィルター材３４からなり、蓋部９は、２枚の加湿フィルター材３４からなる。
【００２７】
これにより、送風手段５の吸込口３３は、筒部８の外周面に対向し、筒部８は、蓋部９より枚数が多く、通風抵抗が大きいので、送風手段５によって、吸気口１から吸込まれた空気は、筒部８だけでなく、蓋部９にも送風され、加湿フィルター６全体に空気が流れ易くなる。結果として、加湿能力を更に向上できるものである。
【００２８】
また、加湿フィルター６の筒部８と蓋部９とは、分離可能である。これにより、加湿フィルター６が洗い易くなり、メンテナンス性が向上する。
【００２９】
また、蓋部９の外形寸法は、筒部８の外形寸法より一回り大きいものでもよい。これにより、蓋部９の周縁部と、筒部８の端部とが重なり易い。
【００３０】
また、加湿フィルター枠７における軸方向の内寸は、加湿フィルター６の筒部８における軸方向の外寸と加湿フィルター６の蓋部９における厚み方向の外寸を加えた寸法より小さくても良い。すなわち、加湿フィルター６の筒部８を、加湿フィルター枠７の筒枠部１２である筒枠側外周部分２３と筒枠側内周部分２５との間に挿入し、加湿フィルター６の蓋部９側に加湿フィルター枠７の蓋枠部１１を嵌めると、加湿フィルター６の筒部８と蓋部９とが、圧縮された状態で、加湿フィルター枠７によって保持されるものである。これにより、筒部８と蓋部９との間に隙間が発生するのを抑制できる。
【００３１】
（実施の形態２）
以下、本発明の実施の形態２における加湿機について図面を参照しながら説明する。なお、実施の形態１の構成と同様の構成を有するものについては、同一符号を付してその説明を省略する。
【００３２】
実施の形態１と相違する点は、図１に示す加湿フィルター６である。この加湿フィルター６は、筒部８は、第１の加湿フィルター材からなり、蓋部９は、第２の加湿フィルター材とからなる。そして、第１の加湿フィルター材は、第２の加湿フィルター材より吸い上げ性能が低いものでもよい。
【００３３】
具体的には、第１の加湿フィルター材は、不織布で構成された加湿フィルターであり、不織布の微細な繊維間を毛細管現象によって水を吸い上げ、室内空気が加湿フィルターを通過する際に気化させることで加湿するものである。この加湿フィルターは浸水せずとも毛細管現象で吸上げることができるが、水面に対して高い位置の部分は水が届きにくくなり、加湿の効率が悪くなるおそれがある。
【００３４】
第２の加湿フィルター材は、ポリウレタンフォームを用いた加湿フィルターであり、フィルター表面の凹凸に水を付着させ、送風させることによって気化させるものである。この加湿フィルターは、全部分を浸水させる必要があるが、表面に水が付着しているだけであるため、その水を容易に剥離させることができる。
【００３５】
そのため、第２の加湿フィルターが浸水することにより付着させた水の一部が、第１の加湿フィルター材へ移動することにより、第１の加湿フィルター材で最も吸上げ距離が遠い蓋部９の中心部に対して水を供給することができるため、第１の加湿フィルター材の全面を効率よく加湿することができる。
【産業上の利用可能性】
【００３６】
以上のように本発明は、吸気口と吹出口を有する本体ケースと、この本体ケース内に設けられた加湿手段と送風手段とを備え、前記加湿手段は、略コップ形状の加湿フィルターと、前記加湿フィルターを固定し回転自在に設けられた加湿フィルター枠と、前記加湿フィルター枠を水平方向の回転軸で回転させる回転手段と、前記加湿手段の下部に設けた水槽とからなり、前記加湿フィルターは、筒形状の筒部と、この筒部の一方側の開口を塞ぐように設けた蓋部とからなり、前記加湿フィルター枠は、前記加湿フィルターの前記筒部の周面の一部が前記水槽に供給された水に常時浸るように前記加湿フィルター枠を設けると共に、前記加湿フィルターは前記蓋部の中心を中心軸として回転し、前記送風手段は、前記吸気口から前記本体ケース内に吸気した空気を前記加湿フィルター内から前記筒部または前記蓋部を介して前記吹出口へと送風する構成とし、前記送風手段の吸込口は、前記筒部の外周面に対向し、前記筒部は、前記蓋部より通風抵抗が大きいことを特徴としたので、加湿能力を更に向上することができるものである。
【００３７】
すなわち、加湿フィルターは、筒形状の筒部と、この筒部の一方側の開口を塞ぐように設けた蓋部とからなるので、本体ケースを大きくせずに、加湿フィルターの面積を大きくすることができ、送風手段の吸込口は、筒部の外周面に対向し、筒部は、蓋部より通風抵抗が大きいので、送風手段によって、吸気口から吸込まれた空気は、筒部だけでなく、蓋部にも送風され、加湿フィルター全体に空気が流れ易くなる。結果として、加湿能力を更に向上できるものである。
【００３８】
従って、家庭用や事務所用などの、加湿機として活用が期待されるものである。
【符号の説明】
【００３９】
１      吸気口
２      吹出口
３      本体ケース
４      加湿手段
５      送風手段
６      加湿フィルター
７      加湿フィルター枠
８      筒部
９      蓋部
１０      水槽
１１      蓋枠部
１２      筒枠部
１３      蓋枠側軸受部分
１４      蓋枠側軸部分
１５      第１の蓋枠側桟部分
１６      ギアー部分
１７      第２の蓋枠側桟部分
１８      蓋枠側周部分
１９      筒枠側軸受部
２０      筒枠側軸部分
２１      筒枠側桟部分
２２      筒枠側リング部分
２３      筒枠側外周部分
２４      筒枠側外周連結部分
２５      筒枠側内周部分
２６      筒枠側内周連結部分
２７      一方側支持部
２８      他方側支持部
２９      モータ部
３０      モータ軸部
３１      羽根部
３２      ケーシング部
３３      吸込口
３４      加湿フィルター材
３７      タンク
【図１】
2015087104.tif 000003
【図２】
2015087104.tif 000004
【図３】
2015087104.tif 000005
【図４】
2015087104.tif 000006